(57)【要約】【課題】見栄えを改善できることはもとより、部品点数、作業工程の増加を招くことなく、容易に脱落を防止でき、また汎用性の高い取付け装置を提供する。【解決手段】棚受体１２の端部に着脱自在で、装着時に端部を被覆する機能を有するカバー部１３１と、棚受体１２の係止部１２２が棚受支持体１１の被係止部１１１に略完全に係止状態にあるときに、カバー部１３１が棚受体１２の端部に装着されている状態で、カバー部１３１から棚受体１２の第１挟持部１２１ａの第１支持部１２１１の側部からさらに棚受支持体１１の被係止部１１１の配置位置よりさらに上方に至り、かつ化粧ボート１５の前面と略接するように位置して、棚受体１２の保持部１２１の、矢印Ａで示す第１方向とは逆の、矢印Ｂで示す第２方向に回転することを阻止し係止状態が解除されることを阻止する１３２を有するエンドキャップ１３（１４）を設ける。【選択図】      図１
2005224388.tif 000002
【特許請求の範囲】
【請求項１】
所定長さを有する被取付体を壁体に取り付けるための取付け装置であって、
被係止部を有し、上記壁体に取り付け可能な支持体と、
上記被係止部を保持可能な保持部と、上記被係止部に係止させて当該保持部を第１方向に回転させることにより係止状態を保持して、上記保持部を上記支持体に対して正対する位置に保持可能な係止部とを有する受体と、
上記受体の端部に着脱自在で、装着時に当該端部を被覆するエンドキャップと、を有し、
上記エンドキャップは、上記受体の係止部が上記支持体の被係止部に係止状態にあるときに、上記受体の保持部の上記第１方向とは逆の第２方向に回転することを阻止する回転阻止部を有する
取付け装置。
【請求項２】
上記エンドキャップの回転阻止部は、上記受体の係止部と上記支持体の被係止部との係止状態が解除される位置まで回転することを阻止する
請求項１記載の取付け装置。
【請求項３】
上記エンドキャップは、
上記受体の端部に着脱自在で、装着時に端部を被覆する機能を有するカバー部と、
上記受体の係止部が上記支持体の被係止部に係止状態にあるときに、上記カバー部が上記受体の端部に装着されている状態で、上記カバー部から上記受体の側部を越えて、上記支持体の被係止部の配置位置よりさらに上記カバー部から離れた位置に至り、かつ上記支持体の配置側と略接するように位置する阻止部とを有する
請求項１または２記載の取付け装置。
【請求項４】
上記受体の保持部は、
上記被取付体の上面側および背面側を挟持して支持するための第１挟持部と、
上記被取付体の下面側を挟持し支持するための第２挟持部とを有する
請求項１、２、または３記載の取付け装置。
【請求項５】
上記受体の保持部の第１挟持部は、
上記被取付体の上面側を内壁で支持するように形成された第１支持部と、
第１支持部の後端部でかつ下面側から略垂下し、上記被取付体の背面側を内壁で支持するように形成された第２支持部とを有し、
上記第２挟持部は、
上記被取付体の下面側を内壁で支持するように形成された第３支持部を有し、
上記第１挟持部と上記第２挟持部はネジにより互いに接合状態に保持され、当該ネジにより上記第１支持部と上記第３支持部との間隔が調整可能である
請求項３記載の取付け装置。
【請求項６】
上記受体の係止部が上記支持体の被係止部に係止状態にあるときの上記保持部の背面側と上記支持体側との距離を調整してレベル調整可能な調整手段を有する
請求項１〜５のうちのいずれか一に記載の取付け装置。
【発明の詳細な説明】
【技術分野】
【０００１】
本発明は、住宅とか家具等の壁体（面）に対して、棚板等の被取付体を取り付けるための取付け装置に関するものである。
【背景技術】
【０００２】
壁体に取り付け用溝が形成され、この溝に金具（棚受体）を係止させる棚受け装置が知られている（たとえば特許文献１参照）。
【０００３】
図１４（Ａ），（Ｂ）は、この種の棚受け装置の構成例を示す図である。
この棚受け装置は、壁体Ｗに沿って設置するボード部材１、および断面が下向き円弧状でその下端箇所に挿入口が形成された挿入溝部からなる被係止部２を有する棚受支持体３と、棚受支持体３の被係止部２に挿入可能な円弧状をなす係止部４、および係止部４の下面側に位置し、かつ、棚板５を取り付け自在とした垂下状支持体６が形成された取付部７を有する棚受体８と、を有する。
【０００４】
この棚受け装置においては、壁体Ｗに固定された棚受支持体３の被係止部２の挿入口に、棚体を取り付けた棚受体８を若干傾けた状態、具体的には、垂下状支持体６の背面がボード部材１の表面から離れるように傾けた状態で係止部４を挿入する。
この状態で、棚受体８を垂下状支持体６の背面がボード部材１の表面に正対し当接するように回転することにより係止部４は被係止部２の溝を案内されて係止状態となる。
この状態となると、当接箇所によるボード部材１からの反力が係止部４が被係止部２から外れようとするモーメントを打ち消すように作用する。
これにより、係止部４が被係止部２によって安定した係止状態が保持され、棚体を取り付けた棚受体８が棚受支持体３に固定される。
【特許文献１】実用新案登録第３０７８６９２号公報
【発明の開示】
【発明が解決しようとする課題】
【０００５】
ところで、特許文献１に記載された棚受け装置は、たとえば棚板の下側から人の頭部等が当たって棚板がはね上がると、係止部４が被係止部２から外れようとするモーメントを打ち消す力が加わり、係止部４の先端側が被係止部２の挿入口側に排出される力を受ける。これにより、係止部４の被係止部２に対する安定な係止状態がくずれ、棚板が取り付けられた棚受体８が脱落するおそれがある。
これを解消するために、脱落防止のパッキングを係止部４の上面と被係止部の内面間に設けることも考えられるが、これでは、係止部４の上面と被係止部の内面間にパッキングを配置可能な隙間を形成する必要があり、また、部品点数が増え、しかも作業工程が増えるという不利益がある。
【０００６】
また、特許文献１に記載された棚受け装置は、棚受体８に棚板を取り付け、棚受体８の係止部４を棚受支持体３の被係止部２に係止させて棚受体８を棚受支持体３に固定するが、固定状態において、棚受体８の長手方向の両側部は開放状態のままであることから、取り付け構造が見え、見栄えが悪い。
これを解消するために、棚受体８の長手方向の両側部にエンドキャップを取り付けることも可能であるが、上述した棚受体８が脱落するおそれがあるという課題は解消されない。
【０００７】
また、特許文献１に記載された棚受け装置は、棚受体８の棚板を挟持する部分の間隔に、棚板の厚さを合わせ込む必要がある。すなわち、特許文献１に記載された棚受け装置は、一定の厚さの棚板にしか適用することができず、また、かなりの寸法精度が必要となり、寸法を整合させるという煩雑な手間を要し、汎用性に欠けるという不利益がある。
【０００８】
本発明は、かかる事情に鑑みてなされたものであり、その目的は、見栄えを改善できることはもとより、部品点数、作業工程の増加を招くことなく、容易に脱落を防止でき、また、煩雑な手間が不要で、所望の板厚を有する棚板等の被取付体に適用することが可能な汎用性の高い取付け装置（棚受け装置）を提供することにある。
【課題を解決するための手段】
【０００９】
上記目的を達成するため、本発明の取付け装置は、所定長さを有する被取付体を壁体に取り付けるための取付け装置であって、被係止部を有し、上記壁体に取り付け可能な支持体と、上記被係止部を保持可能な保持部と、上記被係止部に係止させて当該保持部を第１方向に回転させることにより係止状態を保持して、上記保持部を上記支持体に対して正対する位置に保持可能な係止部とを有する受体と、上記受体の端部に着脱自在で、装着時に当該端部を被覆するエンドキャップと、を有し、上記エンドキャップは、上記受体の係止部が上記支持体の被係止部に係止状態にあるときに、上記受体の保持部の上記第１方向とは逆の第２方向に回転することを阻止する回転阻止部を有する。
【００１０】
好適には、上記エンドキャップの回転阻止部は、上記受体の係止部と上記支持体の被係止部との係止状態が解除される位置まで回転することを阻止する。
【００１１】
好適には、上記エンドキャップは、上記受体の端部に着脱自在で、装着時に端部を被覆する機能を有するカバー部と、上記受体の係止部が上記支持体の被係止部に係止状態にあるときに、上記カバー部が上記受体の端部に装着されている状態で、上記カバー部から上記受体の側部を越えて、上記支持体の被係止部の配置位置よりさらに上記カバー部から離れた位置に至り、かつ上記支持体の配置側と略接するように位置する阻止部とを有する。
【００１２】
好適には、上記受体の保持部は、上記被取付体の上面側および背面側を挟持して支持するための第１挟持部と、上記被取付体の下面側を挟持し支持するための第２挟持部とを有する。
【００１３】
好適には、上記受体の保持部の第１挟持部は、上記被取付体の上面側を内壁で支持するように形成された第１支持部と、第１支持部の後端部でかつ下面側から略垂下し、上記被取付体の背面側を内壁で支持するように形成された第２支持部とを有し、上記第２挟持部は、上記被取付体の下面側を内壁で支持するように形成された第３支持部を有し、上記第１挟持部と上記第２挟持部はネジにより互いに接合状態に保持され、当該ネジにより上記第１支持部と上記第３支持部との間隔が調整可能である。
【００１４】
好適には、上記受体の係止部が上記支持体の被係止部に係止状態にあるときの上記保持部の背面側と上記支持体側との距離を調整してレベル調整可能な調整手段を有する。
【発明の効果】
【００１５】
本発明によれば、見栄えを改善できることはもとより、部品点数、作業工程の増加を招くことなく、容易に脱落を防止できる利点がある。
また、煩雑な手間が不要で、所望の板厚を有する被取付体に適用することが可能な汎用性の高い取付け装置を実現できる利点がある。
【発明を実施するための最良の形態】
【００１６】
以下、本発明の実施形態を添付図面に関連付けて説明する。
【００１７】
図１（Ａ），（Ｂ）は、本発明に係る棚受け装置（取付け装置）の一実施形態を示す図であって、図１（Ａ）は棚受け装置の側面図、図１（Ｂ）は棚受け装置の正面図である。
【００１８】
本実施形態に係る棚受け装置１０は、図１（Ａ）および（Ｂ）に示すように、棚受支持体１１（支持体）、棚受体１２（受体）、エンドキャップ１３，１４、および化粧ボード１５を有している。また、図において、１６は棚板（被取付体）を示している。
棚板１６は、所定の厚さ、幅、長さを有する平板状に、たとえばガラスにより形成されている。
【００１９】
棚受支持体１１は、略棚板１６の長さと同等の長さ（幅）を有する所定厚さの直方体状に形成されている。
図２は、本実施形態に係る棚受支持板１１を壁体に取り付けた状態を示す簡略側断面図である。
図１（Ａ）および図２に示すように、棚板支持体１１の前面側の中央部により若干上部よりに、長手方向の全長にわたって、前面側に突出するように形成された所定幅の挿入口１１１ａを有し、一部に所定の曲率をもって円弧状部１１１ｂが形成された所定深さを有する長溝状の被係止部１１１が形成されている。
円弧状部１１１ｂは、図中、下方に向かって円弧をなすように形成されている。したがって、被係止部１１１は、その長溝の端部１１１ｃが、挿入口１１１ａとは異なる位置、すなわち、図中、挿入口１１１ａより上部に位置するように形成されている。
また、被係止部１１１のさらに上部側および中央部より下方側に、棚受支持体１１を壁体１７に固定するネジ１８，１９を挿入し、かつ壁体１８に螺着した状態で、ネジ１８，１９の頭部１８ａ，１９ａを前面側に突出しない状態で収容するネジ収容部１１２，１１３が棚受支持体１１の長手方向の両側部、および中央部の複数個所に形成されている。
ネジ収容部１１２，１１３には、ネジ１８，１９を挿入するためのネジ孔１１２ａ，１１３ａが形成され、さらに棚受支持体１１の背面側にネジ孔１１２ａ，１１３ａに対応する位置にネジ孔１１４，１１５が形成されている。
なお、棚受支持体１１は、軽量化のために、ネジ孔１１２ａと１１４、ネジ孔１１３ａと１１５との間に空隙部１１６、１１７を設け、さらに空隙部１１６，１１７間の中央部にも空隙部１１８が形成されている。
【００２０】
図２に示すように、棚板支持体１１を壁体１７にネジ１８，１９で固定した後、図１（Ａ）に示すように、図中の上部側および下部側から被係止部１１１の挿入口１１１ａの部分を挟み込むようにして化粧ボード１５が配置される。
【００２１】
棚受体１２は、棚板１６の長手方向に沿った一側部（後端部）を、長手方向の略全体にわたって挟持して保持可能な保持部１２１と、棚受支持体１１の被係止部１１１の円弧状部１１１ｂに応じた形状を有し、一部を被係止部１１１に係止させて保持部１２１を、図１（Ａ）の矢印Ａで示す第１方向に回転させることにより、被係止部１１１に対する略完全な係止状態を保持して、保持部１２１の背面側を、棚受支持体１１の前面、実際には化粧ボード１５の前面に対して正対する位置に保持可能な係止部１２２とを有する。
なお、係止部１２２は、保持部１２１の上部背面側に突出するように、保持部１２１と一体的に形成されている。
【００２２】
図３は、本実施形態に係る棚受体１２の具体的な構成例を示す背面図である。また、図４（Ａ）は図３のＡ−Ａ線における矢視方向の断面図であり、図４（Ｂ）は図３のＢ−Ｂ線の矢視方向における断面図である。
【００２３】
棚受体１２の保持部１２１は、棚板１６の上面側および背面側を挟持して支持するための第１挟持部１２１ａと、棚板１６の下面側を挟持し支持するための第２挟持部１２１ｂとを有する。
【００２４】
第１挟持部１２１ａは、棚板１６の上面側を内壁で支持するように形成された平板状の第１支持部１２１１と、第１支持部１２１１の後端部でかつ下面側から略垂下し、棚板１６の背面側を内壁で支持するように形成された平板状の第２支持部１２１２と、第２支持部１２１２の下端側から延長するように、しかも下部になる従って前方側にせりだすように、換言すれば、第２支持部１２１２の下端前面側から下方側にせりだすように傾斜する傾斜面１２１３ａを有し、第２挟持部１２１ｂと接合するための第１接合部１２１３とが一体的に形成されている。
なお、第１支持部１２１１と第２支持部１２１２とが接合する部分において、第１支持部１２１１の後端部から背面側に突出するように係止部１２２が一体的に形成されている。
第１支持部１２１１は、その先端部には、棚板１６の上面に当接する当接部１２１１ａが形成され、当接部１２１１ａより後端側の内壁には、棚板１６を挟持するとき保持部１２１との間に介在させるゴム等の弾性体２２を収容可能な収容部１２１１ｂが形成されている。
【００２５】
また、第１接合部１２１３の傾斜面１２１３ａの中央部近傍には軽量化のために空隙部１２１３ｂが形成され、背面側から空隙部１２１３ｂに連通するように形成された、棚板固定調整用ネジ２０を挿入するためのネジ孔１２１３ｃが形成されている。
また、第１接合部１２１３の背面側には調整手段としての化粧ボード厚調整用雄ネジ２１が螺着される雌ネジ部１２１３ｄが形成されている。
【００２６】
棚板固定調整用ネジ２０および化粧ボード厚調整用雄ネジ２１は、図３および図４（Ａ），（Ｂ）に示すように、頭部２０ａ，２１ａが背面側に突出した状態で、取り付けられる（螺着される）。
なお、棚板固定調整用ネジ２０を挿入するためのネジ孔１２１３ｃは、図３に示すように、接合部１２１３の上部の両側近傍および中央部に、略等間隔をおいて３個の棚板固定調整用ネジ２０−１，２０−２，２０−３を挿入し第２挟持部１２１ｂに螺着可能に形成されている。
また、化粧ボード厚調整用雄ネジ２１が螺着される雌ネジ部１２１３ｄは、図３に示すように、接合部１２１３の略中央部で、ネジ２０−１と２０−３の配置位置の略中間部、並びにネジ２０−３と２０−２の配置位置の略中間部に、２個の化粧ボード厚調整用雄ネジ２１−１，２１−２を螺着可能に形成されている。
また、棚板固定調整用ネジ２０および化粧ボード厚調整用雄ネジ２１のネジ山は六角レンチにより回転可能とする六角形の凹部が形成されている。
【００２７】
第２挟持部１２１ｂは、棚板１６の下面側を内壁で支持するように形成され、第１挟持部１２１ａの第１支持部１２１１の先端部よりさらに延びて配置される棚板１６の幅の略半分の位置まで至る長さを有する平板状の第３支持部１２１４と、第１挟持部１２１ａの第１接合部１２１３の傾斜面１２１３ａと接合する傾斜面１２１５ａが形成され、棚板固定調整用ネジ２０の雄ネジ部が螺着される雌ネジ部が形成された第２接合部１２１５と、第３支持部１２１４の先端部から第１挟持部１２１ａの第１接合部１２１３の下端部に近傍にかけて傾斜するように形成された傾斜部１２１６を有する。
第３支持部１２１４は、その先端部には、棚板１６の下面に当接する当接部１２１４ａが形成され、当接部１２１４ａより後端側の内壁には、棚板１６を挟持するとき保持部１２１との間に介在させるゴム等の弾性体２２を収容可能な収容部１２１４ｂが形成されている。
また、第２接合部１２１５の傾斜面１２１５ａには、軽量化のために第１接合部１２１３に形成された空隙部１２１３ｂと連通する空隙部１２１５ｂが形成されている。
また、第３支持部１２１４、第２接合部１２１５、および傾斜部１２１６で囲まれた所定の断面が三角形領域にも、軽量化のために空隙部１２１７が形成されている。
【００２８】
そして、第２接合部１２１５の傾斜面１２１５ａの下端部にエンドキャップ１３（１４）の円柱状をなす第１挿入子が挿入される第１被挿入部１２１８が形成され、空隙部１２１５ｂの第３支持部１２１４の下面となる位置に、エンドキャップ１３（１４）の角柱状をなす第２挿入子が挿入される第２被挿入部１２１９と、空隙部１２１７の第３支持部１２１４と傾斜部１２１６との接合部分となる位置に、エンドキャップ１３（１４）の円柱状をなす第３挿入子が挿入される第３被挿入部１２２０が形成されている。
【００２９】
図４（Ａ）に示すように、第１挟持部１２１ａの第１接合部１２１３の傾斜面１２１３ａと第２挟持部１２１ｂの第２接合部１２１５の傾斜面１２１５ａとを当接させた状態でネジ孔１２１３ｄから挿入された棚板固定調整用ネジ２０を、第２挟持部１２１ｂの雌ネジ部１２１５ｂに螺着することにより、保持部１２１を組み立てることができる。
組み立て後の保持部１２１は、図４（Ａ）に示すように、第２支持部１２１２および第３支持部１２１４より図中下方側は、断面が略三角形状をなす。
【００３０】
エンドキャップ１３（１４）は、棚受体１２の端部に着脱自在で、装着時に端部を被覆する機能を有するカバー部１３１と、棚受体１２の係止部１２２が棚受支持体１１の被係止部１１１に略完全に係止状態にあるときに、カバー部１３１が棚受体１２の端部に装着されている状態で、カバー部１３１から棚受体１２の第１挟持部１２１ａの第１支持部１２１１の側部からさらに棚受支持体１１の被係止部１１１の配置位置よりさらに上方に至り、かつ化粧ボート１５の前面と略接するように位置して、棚受体１２の保持部１２１の、図１中に矢印Ａで示す第１方向とは逆の、矢印Ｂで示す第２方向に回転することを阻止する回転阻止部１３２を有する。
エンドキャップ１３（１４）の回転阻止部１３２は、棚受体１２の係止部１２２棚受支持体１１の被係止部１１１ａとの係止状態が解除される位置まで回転することを阻止でき、棚受体１２（棚板）が脱落することを阻止できるものであれば良い。
【００３１】
図５（Ａ），（Ｂ），（Ｃ）は、本実施形態に係るエンドキャップ１３の構成例を示す図であって、図５（Ａ）はその正面図、図５（Ｂ）はその側面図、図５（Ｃ）はその背面図である。
【００３２】
図５（Ａ）〜（Ｃ）に示すように、カバー部１３１の背面側（内面側で棚受体１２の端部と接する面側）には、棚受体１２の第２挟持部１２１ｂに形成された第１被挿入部１２１８に挿入する円柱状をなす第１挿入子１３１１と、第２被挿入部１２１９に挿入する角柱状をなす第２挿入子１３１２と、第３被挿入部１２２０に挿入する円柱状をなす第３挿入子１３１３が形成されている。
また、回転阻止部１３２は、カバー部１３１の図中の上面１３１ａの後端部から垂直上方に延びる連接部１３２１と、連接部１３２１に一体的に形成され、カバー部１３１の背面１３１ｂを延長するように形成された阻止部１３２２とを有し、阻止部１３２２は偏平な三角柱状をなすように形成されている。
【００３３】
なお、図５（Ａ）〜（Ｃ）は、図１（Ｂ）中の右端側に装着されるエンドキャップ１３を示しているが、左端側に装着されるエンドキャップ１４は左右対称形となり、具体的な構成はエンドキャップ１３と同様である。したがって、ここではその詳細な説明は省略する。
【００３４】
以下に、上記構成を有する棚受け装置１０を用いた棚板１６の壁体に対する取り付け工程について、図６〜図９に関連付けて説明する。
なお、ここでは、棚受支持体１１は壁体１７の所定の位置に固定されて化粧ボード１５が配置され、また、棚受体１２の第１挟持部１２１ａと第２挟持部１２１ｂは棚板固定調整用ネジ２０により接合状態に螺着され、また、化粧ボード厚調整用雄ネジ２１も第１接合部１２１３に螺着されているものとする。
【００３５】
まず、図６に示すように、棚板１６の後端部を棚受体１２の第１支持部１２１１、第２支持部１２１２、および第３支持部１２１４で形成される挟持空間に挿入し、この状態で棚板固定調整用ネジ２０で固定する。
この場合、棚板固定調整用ネジ２０をさらに締めつけると、第２挟持部１２１ｂの傾斜面１２１５ａが第１挟持部１２１ａの傾斜面１２１３ａにより斜め上方に押し上げるように力が作用し、第１支持部１２１１と第３支持部１２１４の間隔が狭くなり、棚板１６が棚受体１２が外れないように固定される。
なお、棚板固定調整用ネジ２０を緩めると、第２挟持部１２１ｂの傾斜面１２１５ａが第１挟持部１２１ａの傾斜面１２１３ａにより斜め上方に押し上げるように力が弱くなることから、第１支持部１２１１と第３支持部１２１４の間隔が多少広くなり、棚板１６が挟持空間に出し入れ可能となる。
【００３６】
棚受体１２に棚板１６を固定した状態で、図７に示すように、棚板１６の前端部を持ち上げるようにして、斜め上方から棚受体１２の係止部１２２の端部を、棚受支持体１１の被係止部１１１の挿入口１１１ａの挿入する。この状態で、図７中、矢印Ａで示す第１方向に棚板１６をその前端部を棚板１６が略水平となるようにように下げる（回転させる）。
これにより、係止部１２２は被係止部１１１内を第１方向に回転するように挿入され、被係止部１１１に対する略完全な係止状態に保持される。このとき、保持部１２１の背面側は、棚受支持体１１の前面、実際には化粧ボード１５の前面に対して正対する位置となる。
【００３７】
ここで、棚板１６の水平レベルがとれていない場合には、２個所の化粧ボード厚調整用雄ネジ２１を締めつけ、あるいは緩めて、頭部２１ａと化粧ボード１５表面との当接部分と第１挟持部１２１ａの第１接合部１２１３の背面部との距離を調節する。
たとえば、雄ネジ２１を締めつけると、頭部２１ａと化粧ボード１５表面との当接部分と第１挟持部１２１ａの第１接合部１２１３の背面部との距離が短くなることから、棚板１６が下がる。一方、雄ネジ２１を緩めると、頭部２１ａと化粧ボード１５表面との当接部分と第１挟持部１２１ａの第１接合部１２１３の背面部との距離が長くなることから、棚板１６が上がる。
この場合、図９にしめすように棚板１６が水平またはやや上向きになるようにレベル調整を行う。
【００３８】
そして、エンドキャップ１３のカバー部１３１の背面側（内面側で棚受体１２の端部と接する面側）に形成された、第１挿入子１３１１を棚受体１２の第２挟持部１２１ｂに形成された第１被挿入部１２１８に挿入し、第２挿入子１３１２を第２被挿入部１２１９に挿入し、第３挿入子１３１３を第３被挿入部１２２０に挿入するようにして棚受板１２の右端部にエンドキャップ１３を装着する。同様に、棚受体１２の左端部にエンドキャップ１４を装着する。
このとき、エンドキャップ１３（１４）の回転阻止部１３２は、カバー部１３１から棚受体１２の第１挟持部１２１ａの第１支持部１２１１の側部から棚受支持体１１の被係止部１１１の配置位置よりさらに上方に至り、かつ化粧ボート１５の前面と略接するように位置する。
【００３９】
以上で、棚板の取り付け作業が完了する。
【００４０】
このように棚板１６は取り付けられるが、たとえば棚板１６の下側から人の頭部等が当たって棚板１６がはね上がると、図１０に示すように、係止部１２２が被係止部１１１から外れようとするモーメントを打ち消す力が加わり、係止部１２２の先端側が被係止部１１１の挿入口側に排出される力を受ける。
しかし、回転阻止部１３２は、カバー部１３１から棚受体１２の第１挟持部１２１ａの第１支持部１２１１の側部から棚受支持体１１の被係止部１１１の配置位置よりさらに上方において、化粧ボート１５の前面と当接状態を維持し、図１０中に矢印Ａで示す第１方向とは逆の、矢印Ｂで示す第２方向に回転することが阻止される。
したがって、係止部１２２が被係止部１１１から外れようとするモーメントを打ち消す力が弱められて、係止部１２２が被係止部１１１から外れ、棚板１６が脱落することが阻止される。
【００４１】
以上説明したように、本実施形態によれば、棚受体１２の端部に着脱自在で、装着時に端部を被覆する機能を有するカバー部１３１と、棚受体１２の係止部１２２が棚受支持体１１の被係止部１１１に略完全に係止状態にあるときに、カバー部１３１が棚受体１２の端部に装着されている状態で、カバー部１３１から棚受体１２の第１挟持部１２１ａの第１支持部１２１１の側部から棚受支持体１１の被係止部１１１の配置位置よりさらに上方に至り、かつ化粧ボート１５の前面と略接するように位置して、棚受体１２の保持部１２１の、矢印Ａで示す第１方向とは逆の、矢印Ｂで示す第２方向に回転することを阻止する回転阻止部１３２を有するエンドキャップ１３（１４）を設けたので、見栄えを改善できることはもとより、部品点数、作業工程の増加を招くことなく、容易に脱落を防止できる利点がある。
【００４２】
また、棚受体１２は、棚板固定調整用ネジ２０を締めつけるまたは緩めることにより、第２挟持部１２１ｂの傾斜面１２１５ａが第１挟持部１２１ａの傾斜面１２１３ａにより斜め上方に押し上げるように力が作用し、第１支持部１２１１と第３支持部１２１４の間隔を調整することができることから、寸法を整合させるという煩雑な手間が不要で、所望の板厚を有する棚板に適用することが可能な汎用性の高い棚受け装置を実現できる利点がある。
【００４３】
このように、本実施形態に係る棚受け装置１０の適用できる棚受体１２は、上述した実施形態に限定されるもではなく、第１支持部１２１１と第３支持部１２１４の間隔を調整することができるものであれば、種々の態様が可能である。
【００４４】
図１１は、本実施形態に係る棚受体の他の構成例を示す断面図である。
【００４５】
この棚受体１２Ａが、図３や図４（Ａ），（Ｂ）等に示す棚受体１２と異なる点は、第１挟持部１２１ａの第２支持部１２１２Ａに第１接合部の機能をも持たせるために雌ネジ部１２１２ａを形成し、第２挟持部１２１ｂの第２接合部１２１５Ａを傾斜面１２１５ａの上部と第３支持部１２１４の後端部に長溝１２１５Ｂが第２支持部１２１２Ａの下端部に向かって開口し、第２支持部１２１２Ａの背面側に延びるように形成され、ネジ孔１２１５Ｃが形成された接合片１２１５Ｄを有し、さらに、傾斜部１２１６Ａの下端部に傾斜面に対して直交する方向に雌ネジ部１２１６Ｂが形成され、かつ、略Ｔ字形状をなし先端部に長孔１２２１Ａが形成された調整手段としての水平レベル調整片１２２１を設けた点にある。
また、第３支持部１２１４と傾斜面１２１５ａと傾斜部１２１６Ａで囲まれた大きな領域に、軽量化のために空隙１２２２が形成されている。
そして、空隙部１２２２に、図１２に示すようなエンドキャップ１３Ａ（１４Ａ）に形成された柱状をなす第１挿入子１３１１Ａが挿入される第１被挿入部１２２３、柱状をなす第２挿入子１３１２Ａが挿入される第２被挿入部１２２４、および柱状をなす第３挿入部１３１３Ａが挿入される第３被挿入部１２２５が形成されている。
【００４６】
この棚受体１２Ａにおいては、第１支持部１２１１と第３支持部１２１４との間隔は、第２支持部１２１２の下端部の長溝１２１５Ｂ内に位置する位置を調整してネジ２２によ接合片１２１５Ｄと第２支持部１２１２Ａとを螺着し接合させる。
また、水平レベルの調整は、調整片１２２１の長孔１２２１Ａの位置を調整ながらネジ２３で調整片１２２１と傾斜部１２１６Ａの下端部とを螺着し接合させることにより行う。
【００４７】
図１３に、図１１の棚受体１２Ａを用いて棚板１６を取り付け、図１２のエンドキャップを装着した状態を示す。
【００４８】
この場合も、上述した実施形態と同様に、見栄えを改善できることはもとより、部品点数、作業工程の増加を招くことなく、容易に脱落を防止でき、また、煩雑な手間が不要で、所望の板厚を有する棚板に適用することが可能な汎用性の高い棚受け装置を実現できる利点がある。
【図面の簡単な説明】
【００４９】
【図１】本発明に係る棚受け装置の一実施形態を示す図であって、（Ａ）は棚受け装置の側面図、（Ｂ）は棚受け装置の正面図である。
【図２】本実施形態に係る棚受支持板を壁体に取り付けた状態を示す簡略側断面図である。
【図３】本実施形態に係る棚受体の具体的な構成例を示す背面図である。
【図４】（Ａ）は図３のＡ−Ａ線における矢視方向の断面図であり、（Ｂ）は図３のＢ−Ｂ線の矢視方向における断面図である。
【図５】本実施形態に係るエンドキャップの構成例を示す図であって、（Ａ）はその正面図、（Ｂ）はその側面図、（Ｃ）はその背面図である。
【図６】図１の棚受け装置を用いた棚板の壁体に対する取り付け工程について説明するための図であって、棚受体に棚板を取り付ける工程を説明するための図である。
【図７】図１の棚受け装置を用いた棚板の壁体に対する取り付け工程について説明するための図であって、棚受体の係止部を棚受支持体の被係止部に係止させる工程を説明するための図である。
【図８】図１の棚受け装置を用いた棚板の壁体に対する取り付け工程について説明するための図であって、レベル調整工程を説明するための図である。
【図９】図１の棚受け装置を用いた棚板の壁体に対する取り付け工程について説明するための図であって、レベル調整工程を説明するための図である。
【図１０】本実施形態に係るエンドキャップによる棚板の脱落防止作用を説明するための図である。
【図１１】本実施形態に係る棚受体の他の構成例を示す断面図である。
【図１２】図１１の棚受体に適応したエンドキャップを示す図である。
【図１３】図１１の棚受体を用いて棚板を取り付け、図１２のエンドキャップを装着した状態を示す図である。
【図１４】（Ａ），（Ｂ）は、従来の棚受け装置の構成例を示す図である。
【符号の説明】
【００５０】
１０…棚受け装置（取付け装置）、１１…棚受支持体（支持体）、１１１…被係止部、１２，１２Ａ…棚受体（受体）、１２１…保持部、１２２…係止部、１２１ａ…第１挟持部、１２１ｂ…第２挟持部、１２１１…第１支持部、１２１２，１２１２Ａ…第２支持部、１２１３…第１接合部、１２１４…第３支持部、１２１５，１２１５Ａ…第２接合部、１３，１４…エンドキャップ、１５…化粧ボード、１６…棚板（被取付体）、１７…壁体。
【図１】
2005224388.tif 000003
【図２】
2005224388.tif 000004
【図３】
2005224388.tif 000005
【図４】
2005224388.tif 000006
【図５】
2005224388.tif 000007
【図６】
2005224388.tif 000008
【図７】
2005224388.tif 000009
【図８】
2005224388.tif 000010
【図９】
2005224388.tif 000011
【図１０】
2005224388.tif 000012
【図１１】
2005224388.tif 000013
【図１２】
2005224388.tif 000014
【図１３】
2005224388.tif 000015
【図１４】
2005224388.tif 000016
【手続補正書】
【提出日】平成16年4月21日(2004.4.21)
【手続補正１】
【補正対象書類名】図面
【補正対象項目名】全図
【補正方法】変更
【補正の内容】
【図１】
2005224388.tif 000017
【図２】
2005224388.tif 000018
【図３】
2005224388.tif 000019
【図４】
2005224388.tif 000020
【図５】
2005224388.tif 000021
【図６】
2005224388.tif 000022
【図７】
2005224388.tif 000023
【図８】
2005224388.tif 000024
【図９】
2005224388.tif 000025
【図１０】
2005224388.tif 000026
【図１１】
2005224388.tif 000027
【図１２】
2005224388.tif 000028
【図１３】
2005224388.tif 000029
【図１４】
2005224388.tif 000030